(57)【要約】  字句、画像等の形態の少なくとも1つの模様(118)を有する使い捨て用の吸収用品。バックグラウンド層(146)および少なくとも1つの中間層(147)が模様(118)の後ろに配置され、それと関連してこの中間層または複数の中間層(147)が第1の、本質的に透明な状態を示し、かつそれと関連してこの中間層または複数の中間層が引き伸ばされるとき、この中間層または複数の中間層(147)は第2の、より不透明な状態へと変化させられる。
2008523883.tif 000002
【特許請求の範囲】
【請求項１】
少なくとも1つの模様(118,218,318,418,518,618)を有し、それと関連して前記模様(118,218,318,418,518,618)がバックグラウンド層(146,246,346,446,546,646)と重ね合わされる使い捨て用の吸収用品(101,301,501,601)であって、
少なくとも1枚の中間層(147,247,347,447,547,647)が前記模様(118,218,318,418,518,618)と前記バックグラウンド層(146,246,346,446,546,646)の間に配置され、それと関連して前記中間層(147,247,347,447,547,647)が本質的に透明な第1の状態を示し、かつそれと関連して前記中間層(147,247,347,447,547,647)が伸長によって、より不透明な第2の状態へと変化させられるようになっていることを特徴とする吸収用品。
【請求項２】
前記模様(118,218,318,418)および前記バックグラウンド層(146,246,346,446)が本質的に同じ色の濃さを示し、それと関連して、前記中間層または複数の中間層(147,247,347,447)が前記第1の本質的に透明な状態を示すとき、前記模様が前記中間層または複数の中間層(147,247,347,447)を通して前記バックグラウンド層(146,246,346,446)を背景に本質的に目に見えず、かつそれと関連し、前記中間層または複数の中間層(147,247,347,447)が前記第2の本質的に不透明な状態を示すとき、前記模様(118,218,318,418)と前記中間層または複数の中間層(147,247,347,447)とが本質的に異なる色の濃さを示し、それと関連して前記模様(118,218,318,418)が前記中間層または複数の中間層(147,247,347,447)を背景に本質的に目に見えるようになっていることを特徴とする請求項1に記載の吸収用品(101,301)。
【請求項３】
前記模様(518,618)および前記バックグラウンド層(546,646)が本質的に異なる色の濃さを示し、それと関連して、前記中間層または複数の中間層(547,647)が前記第1の本質的に透明な状態を示すとき、前記模様が前記中間層または複数の中間層(547,647)を通して前記バックグラウンド層(546,646)を背景に本質的に目に見え、かつそれと関連して前記中間層または複数の中間層(547,647)が前記第2の本質的に不透明な状態を示すとき、前記模様(518,618)と前記中間層または複数の中間層(547,647)とが本質的に同じ色の濃さを示し、それと関連して前記模様(518,618)が前記中間層または複数の中間層(547,647)を背景に本質的に目に見えないようになっていることを特徴とする請求項1に記載の吸収用品(501,601)。
【請求項４】
前記バックグラウンド層(146,246,346,446,546,646)が前記用品(101,301,501,601)の液体透過性被覆層(102,602)または裏当て層(104,304,504,604)のうちの、いずれかからなることを特徴とする請求項1から請求項3のうちのいずれか一項に記載の吸収用品(101,301,501,601)。
【請求項５】
前記模様(118,218,318,418,518,618)が前記中間層(147,247,347,447,547,647)の上に直接配置され、それと関連して前記模様(118,218,318,418,518,618)が前述の中間層(147,247,347,447,547,647)の前記バックグラウンド層(146,246,346,446,546,646)から見て外方に向く側に配置されることを特徴とする請求項1から請求項4のうちのいずれか一項に記載の吸収用品(101,301,501,601)。
【請求項６】
前記模様(118,218,318,418,518,618)が別個の模様層(145,245,345,445,545,645)上に配置され、それと関連して前記模様層(145,245,345,445,545,645)が伸長の前および後の両方で本質的に透明であることを特徴とする請求項1から請求項4のうちのいずれか一項に記載の吸収用品(101,301,501,601)。
【請求項７】
前記中間層または複数の中間層(147,247,347,447,547,647)と模様層(145,245,345,445,545,645)が互いに積層され、事前製造されたラベル(119,219,319,419,519,619)を構成することを特徴とする請求項6に記載の吸収用品(101,301,501,601)。
【請求項８】
前記事前製造されたラベル(119,219,319,419,519,619)がバックグラウンド層(146,246,346,446,546,646)を含むことを特徴とする請求項7に記載の吸収用品(101,301,501,601)。
【請求項９】
前記中間層または複数の中間層(147,247,347,447,547,647)が前記吸収用品(101,301,501,601)の伸縮性を持たせた表面に取り付けられ、それと関連して前記中間層または複数の中間層が取り付けられた前記表面が伸長させられるとき、前記中間層または複数の中間層(147,247,347,447,547,647)が自動的に伸長させられるようになっていることを特徴とする請求項1から請求項8のうちのいずれか一項に記載の吸収用品(101,301,501,601)。
【請求項１０】
前記中間層または複数の中間層(147,247,347,447,547)が前記吸収用品(101,301,501)の伸縮性を持たせたウエスト部分に配置されることを特徴とする請求項9に記載の吸収用品(101,301,501)。
【請求項１１】
前記中間層または複数の中間層(647)が前記吸収用品(601)の伸縮性を持たせたベルト(628)上に配置され、それと関連して前記ベルト(628)が伸長させられるとき前記中間層または複数の中間層(647)が自動的に伸長させられるようになっていることを特徴とする請求項1から請求項3または請求項5から請求項8のうちのいずれか一項に記載の吸収用品(601)。
【請求項１２】
前記中間層または複数の中間層(147,247,347,447,547)が前記吸収用品(101)の伸縮性を持たせた取付けフラップ(126)のうちの少なくとも1つに配置され、それと関連して前記取付けフラップ(126)が伸長させられるとき前記中間層または複数の中間層(147,247,347,447,547)が自動的に伸長させられるようになっていることを特徴とする請求項1から請求項3または請求項5から請求項8のうちのいずれか一項に記載の吸収用品(101)。
【請求項１３】
前記中間層または複数の中間層(147,247,447,547,647)が上に配置される前記表面が収縮するとき、前記中間層または複数の中間層(147,247,347,447,547,647)が収縮するようになっていることを特徴とする請求項9から請求項12のうちのいずれか一項に記載の吸収用品(101,301,501,601)。
【請求項１４】
前記中間層または複数の中間層(247,347,447)を前記第1の本質的に透明な状態から前記第2のより不透明な状態へと変化させるために、前記中間層または複数の中間層(247,347,447)が手動で伸長させられるよう意図されていることを特徴とする請求項1から請求項8のうちのいずれか一項に記載の吸収用品(101,301,501,601)。
【請求項１５】
前記中間層または複数の中間層(147,247,347,447,547,647)が前記第1の状態にあるとき、前記中間層または複数の中間層(147,247,347,447,547,647)がＩＳＯ2471:1988に記載される方法による70.5％を超えない組合せ不透過率を示すようになっていることを特徴とする請求項1から請求項14のうちのいずれか一項に記載の吸収用品(101,301,501,601)。
【請求項１６】
前記中間層または複数の中間層(147,247,347,447,547,647)が前記第2の状態へと変化させられているとき、前記中間層または複数の中間層(147,247,347,447,547,647)がＩＳＯ2471:1988に記載される方法による少なくとも76.2％の組合せ不透過率を示すようになっていることを特徴とする請求項1から請求項15のうちのいずれか一項に記載の吸収用品(101,301,501,601)。
【請求項１７】
前記中間層または複数の中間層(147,247,347,447,547,647)を前記第1の状態から前記第2の状態へと変化させることが、材料の層または複数の層を10〜200％伸長させることによって達成されるようになっていることを特徴とする請求項1から請求項16のうちのいずれか一項に記載の吸収用品(101,301,501,601)。
【発明の詳細な説明】
【技術分野】
【０００１】
本発明は少なくとも1つの模様を備える使い捨て用の吸収用品に関し、それと関連してこの模様はバックグラウンド層上に重ね合わされている。
【背景技術】
【０００２】
おむつ、生理用ナプキン、失禁保護具などの吸収用品の場合に、字句、画像、記号等の形態の模様を用品に含まれる特定の層に貼り付けることは従来公知である。少なくとも2つの模様形態を含む組合せも一般的である。この字句および記号は、例えば使用者用の取扱説明書、注意字句、またはサイズ表示などの製品情報の形態の有益な性質のものであることが好ましい。画像は、装飾的な模様、製品情報または使用者用の取扱説明書の形態であることが好ましい。商標および/または会社のシンボルマークの形態の模様も一般的である。
【０００３】
この模様は、通常、それが使用されるとき用品の外側を形成する層の1つ、例えば、用品の前側または後側端部、留めつまみまたは側面材に配置される。この模様は特に、用品のウエスト領域に、またはその近くで用品の外側に配置されるのが一般的である。
【０００４】
この模様はときには、どのように用品を着用者に使用しなければならないか、特定の体重に対する適切な用品サイズ等についての指示に関する。
【０００５】
そのような模様は、通常、顕著な製品マーク、純粋に装飾的な模様、例えば取付けフラップ用の標識、用品のどちらの端部を着用者の前側に向けて配置しなければならないかの標識等々と一緒に配置される。
【０００６】
したがって、用品は異なる種類の模様を備え、いくつかは使用者に用品の取り扱いについて知らせるためのものであり、いくつかは単に用品をより視覚的に魅力的にするためのものであり、いくつかは誤った取り扱いについて警告するためのものである。
【０００７】
子供が幼児おむつを頭に被った場合の窒息する危険性についての警告などの、危険性と関連する場合のある、誤った取り扱いについての警告のためである、いくつかの模様は、当然ながら誤った取り扱いが起きる前に親によって読まれることができなければならない。
【０００８】
いくつかの別の模様は、用品のサイズが着用者の身体のサイズとの関係で誤っている、すなわち取付けフラップが着用者のウエスト周りに過度にきつく締め付けられている等の影響に対する情報などの、それほど深刻ではない誤った取り扱いについて知らせる。この種の情報は、誤った使用が起きてしまうまで目に見えるようにする必要はなく、それと関連して誤った使用は直ちに、または着用者に吸収用品が取り替えられる次の機会に、あるいは新しい吸収用品が購入される次の機会にさえ、是正することができる。
【０００９】
材料の層の過剰な引き伸ばしを示す指示体は特許文献1に開示されている。この文献は、材料層が引き伸ばされていないとき曲線からなる模様を備える材料の層を開示する。この曲線は引き伸ばしが意図されている方向に面している。材料層が引き伸ばされるとき、線の曲率半径が増大し、それと関連して当初の曲線がより直線的になり、それと関連して線の曲率は材料層がどれくらい引き伸ばされたかの表示を与える。
【００１０】
特許文献1に記載の解決策に関連する1つの欠点は、過引き伸ばしが起きたか否かに関わらず曲線が常に吸収用品上に見えることである。吸収用品上に常に見える模様は、当然ながら用品上の他の模様とのある程度の調和を示さなければならず、この理由のためこの警告信号は十分に明瞭かつ顕著に生成することができない。非常に明瞭かつ顕著な警告信号は、用品上で強調したい他の模様との関係で、用品の模様を支配するリスクがある。
【００１１】
別の欠点は、使用者は曲線の形態の記号を理解しなければならず、当初の曲線の曲率が変化するときそれが何を意味するのか、かつ材料層がどれくらい過剰に大きな引き伸ばしに至ったかの変化のレベルも理解しなければならないことである。
【００１２】
材料層が弾力性のある場合、または材料層が弾力性のある材料層に取り付けられている場合、この材料層の引き伸ばしが止むときこの曲線の曲率は本質的に当初の曲率に戻るので、第3の問題点が生じる。これは、例えばこの吸収用品が着用者のウエスト周りで過度に強く締められていたかどうかを調査するために、確認を行うことができないことを意味する。
【００１３】
したがって、用品サイズの誤った選択、ウエスト周りの過剰な緊張等などの吸収用品の使用に関連する小さな誤りを警告するためのものである模様が誤った使用と関連してのみ目に見えるようになる、改良された吸収用品が求められている。
【００１４】
用品の使用中または使用後の両方で、任意の誤りの点検結果を読み取ることができる、改良された吸収用品も求められている。
【００１５】
さらに、警告信号をより目立つように生成できる改良された吸収用品も求められている。
【００１６】
いくつかの模様は使用前に読まれ観察されるためのものであり、それと関連してこの模様は、例えば吸収用品を着用者に着用させるのに関連してのみ必要とされる取り扱い説明からなることができる。用品が着用者に着用された後、用品上のこれらの模様の存在はもはや必要でもなく望ましくもない。
【００１７】
ある種の模様は、その用品が着用されているとき着用者側では望ましくない可能性があるが、製造者の観点からその吸収用品に貼り付けることが望ましい。そのような模様の例には失禁保護製品用の商標があり、これらの模様は着用者の失禁問題を明らかにするので、着用者はそれが薄い被服を通して見えることを望まない。
【００１８】
模様が見えるようになるこの問題を解決するために、用品に取り外し可能に取り付けられる別の層上にこの模様を配置することが従来公知である。使用者は使用前にこの模様に注視し情報を読み、その後模様を含むこの別の層を取り除く。
【００１９】
この種類の製品は特許文献2に開示されている。模様はこの方法によって確かに取り除かれるが、問題、すなわち取り除かれた層は処理しなければならない別の残留品を形成するという問題が残る。着用者は次いでこの層を廃棄するのに適切な場所を見つけるか、あるいはそのような場所がない場合はそのような場所が見つかるまで持ち続けなければならない。
【特許文献１】国際公開第96/31175号パンフレット
【特許文献２】米国特許出願公開第2003/0088224号明細書
【発明の開示】
【発明が解決しようとする課題】
【００２０】
したがって、着用者が使用前に用品上の字句を読みまたは画像を注視することができ、それが着用されているときその字句または画像が本質的に目に見えなくされる、改良された吸収用品が求められている。
【課題を解決するための手段】
【００２１】
序論で述べた種類の吸収用品が本発明によって実現され、それと関連してこの模様は、この種類の以前の用品と関連している序論として言及した問題点を本質的に克服する。
【００２２】
本発明により製造される吸収用品は、少なくとも1枚の材料層が模様とバックグラウンド層の間に配置され、それと関連してこの中間層または複数の中間層は、第1の本質的に透明な状態を示し、かつそれと関連してこの中間層または複数の中間層は、伸長によって第2のより不透明な状態へと変化させられることを最も重要な特徴とする。
【００２３】
本発明による吸収用品の一実施形態によれば、この模様およびバックグラウンド層は本質的に同じ色の濃さを示し、それと関連して模様は、中間層または複数の中間層が第1の本質的に透明な状態を示すとき、この中間層または複数の中間層を通してバックグラウンド層を背景に本質的に目に見えず、かつそれと関連してこの中間層または複数の中間層が第2の本質的に不透明な状態を示すとき、この模様と中間層または複数の中間層とが本質的に異なる色の濃さを示し、それと関連してこの模様が中間層または複数の中間層を背景に本質的に目に見えるようになる。
【００２４】
本発明による吸収用品の別の実施形態によれば、この模様およびバックグラウンド層は本質的に異なる色の濃さを示し、それと関連して中間層または複数の中間層が第1の本質的に透明な状態を示すとき、模様が中間層または複数の中間層を通してバックグラウンド層を背景に本質的に目に見え、かつそれと関連して中間層または複数の中間層が第2の本質的に不透明な状態を示すとき、模様と中間層または複数の中間層とが本質的に同じ色の濃さを示し、それと関連して模様が中間層または複数の中間層を背景に本質的に目に見えなくなる。
【００２５】
一実施形態によれば、バックグラウンド層は用品の液体透過性被覆層または裏当て層のうちのいずれかからなる。
【００２６】
本発明の一実施形態は、模様が中間層上に直接配置され、それと関連して模様が前述の中間層のバックグラウンド層から見て外方に向く側に配置されることを特徴とする。
【００２７】
本発明による吸収用品の一実施形態によれば、模様は別個の模様層上に配置され、それと関連してこの模様層は伸長の前および後の両方で本質的に透明である。
【００２８】
一実施形態によれば、中間層または複数の中間層と模様層は互いに積層され、事前製造されたラベルを構成する。
【００２９】
別の実施形態によれば、この事前製造されたラベルはバックグラウンド層を含む。
【００３０】
一実施形態によれば、中間層または複数の中間層は吸収用品の伸縮性を持たせた表面に取り付けられ、それと関連して中間層または複数の中間層が取り付けられている表面が伸長されるとき、この中間層または複数の中間層が自動的に伸長される。
【００３１】
一実施形態は、この中間層または複数の中間層が吸収用品の伸縮性を持たせたウエスト部分に配置される吸収用品に関する。
【００３２】
別の実施形態は、この中間層または複数の中間層が吸収用品の伸縮性を持たせたベルト上に配置され、それと関連してこのベルトが伸長されるとき中間層または複数の中間層が自動的に伸長される吸収用品に関する。
【００３３】
一実施形態では、この中間層または複数の中間層は、吸収用品の伸縮性を持たせた取付けフラップのうちの少なくとも1つに配置され、それと関連してこの取付けフラップが伸長されるとき中間層または複数の中間層が自動的に伸長される。
【００３４】
一実施形態によれば、この中間層または複数の中間層が配置される表面が収縮するとき、この中間層または複数の中間層も収縮する。
【００３５】
一実施形態は、この中間層または複数の中間層を第1の本質的に透明な状態から第2のより不透明な状態へと変化させるために、中間層または複数の中間層を手動で伸長させるよう意図された吸収用品に関する。
【００３６】
一実施形態によれば、中間層または複数の中間層が第1の状態にあるとき、この中間層または複数の中間層はＩＳＯ2471:1988に記載される方法による70.5％を超えない組合せ不透過率を示す。
【００３７】
一実施形態によれば、中間層または複数の中間層が第2の状態へと変化させられているとき、この中間層または複数の中間層はＩＳＯ2471:1988に記載される方法による少なくとも76.2％の組合せ不透過率を示す。
【００３８】
一実施形態によれば、中間層または複数の中間層を第1の状態から第2の状態へと変化させることは、材料の層または複数の層を10〜200％伸長させることによって達成される。
【００３９】
以下、本発明を、添付図面を参照して、より詳細に説明する。
【発明を実施するための最良の形態】
【００４０】
本発明は、一定の事象が起きた後のみ浮かび出る模様を表示する使い捨て用の吸収用品に関する。事象の一例は、この用品が着用されたとき用品のある部分が着用者に対して過度にきつく緊張することであり、それと関連してこの模様は、画像、記号、字句等の形態の警告からなる。
【００４１】
本発明は、観察者に用品の外側で目に見え、特定の事象の後、見えにくくなり、見えなくさえなる、例えば字句、画像または記号の形態の模様を示す使い捨て用の吸収用品にも関する。例えば、用品が着用者に着用されるとき、失禁症者用おむつ用の周知の商標が少なくとも部分的に目に見えなくされる。
【００４２】
本発明による吸収用品は主として、オールインワン型おむつ、パンツ型おむつ、ベルト型おむつまたはパンティ式の生理保護具の型式の吸収用品、換言すれば着用したとき着用者の腹部を取り囲む用品の型式の用品である。当然ながら本発明を、着用者の股部に配置されることになる生理用ナプキン、パンティライナーまたは軽度失禁症保護具などのより軽度の吸収製品に適用することも可能である。そうはいうものの、着用者の下着内でのこれらの用品の設計および配置は、本発明による構造がこれらの種類の吸収用品に対し、おそらく、適用性が劣ることを意味する。
【００４３】
オールインワン型おむつ、パンツ型おむつまたはベルト型おむつは、まだ用便がしつけられていない幼児用の子供用おむつ、あるいは成人失禁症着用者用の失禁症保護具からなることができる。
【００４４】
いわゆるパンツ型おむつは、とりわけ、それらが製造のときにパンツ型おむつの股部領域内の本質的に横方向の折り込み線を中心に既に折られており、続いてウエスト部のところで一緒に接合されていることが特徴である。この型式のおむつは、まさにパンツのように、すなわち着用者の両足を通過させて着用者にはかせることになる。パンツ型おむつのウエスト部領域の接合部は通常分離可能であり、それと関連してこのパンツ型おむつは、使用後、それを取り外すとき、着用者の脚の上を途中ずっと下まで通過させる必要なく取り外すことができる。これが可能であることは、使用後、パンツ型おむつが、ふん便で汚されているとき特に有用である。
【００４５】
ベルト型おむつは、おむつの吸収部分に対して、おむつの前側または後側横方向縁部のどちらかに取り付けられた横方向ベルトを備えることを特徴とする。
【００４６】
この種類のベルト型おむつの着用と関連して、ベルトは第1段階で着用者のウエストの周りに固定される。したがって、おむつの吸収部分はベルトからゆるく吊り下がる。おむつの吸収部分は次いで着用者の脚の間を通過しベルトに取り付けられ、それと関連してベルトは、おむつの吸収部分上にその自由横方向縁部に隣接して配置される固定機構に張り付くことになる固定表面を含む。
【００４７】
いわゆる一体型おむつはそれらが取付けフラップを含み、おむつが着用者のウエスト周りに着用されるとき、それを使用しておむつの前側および後側ウエスト部分が取り付けられることを特徴とする。
【００４８】
図1aは、本発明によるおむつ101の本質的な構成部品を示す。
【００４９】
このおむつ101は、いわゆる一体型の開放式おむつである。このおむつ101は、売られるときウエスト部領域でひとまとまりに接合されておらず、その代わりに着用者の腹部周りに着用させ、その後、着用者のウエスト周りでひとまとまりに接合されることになる。この型式のおむつ101は、通常、幼児および成人失禁症着用者の両方に関して一般的である。
【００５０】
このおむつ101は、本質的に砂時計の形態であり、それ自体、長手方向縁部112,113、前側横方向縁部114および後側横方向縁部115を含む。おむつ101はまた、前側縁部121、後側縁部122および端部121,122の間に配置されるより狭い股部123を有する。股部123は、着用されているとき、着用者の太もも間の最も狭い部分に位置させられることになる。
【００５１】
このおむつ101を着用するとき、股部123の前側部分および前側端部121は、主に尿用の受け領域として機能し、他方、股部分123の後側部分および後端部122は主にふん便用の受け領域として機能する。
【００５２】
おむつ101は、着用されているとき着用者に向かって面することになる、おむつ101の表面を覆って配置される液体透過性の被覆層102、おむつの着用されているとき着用者から見て外方に向くことになる表面を覆って配置される裏当て層104、液体透過性被覆層102と裏当て層104の間に取り囲まれる吸収体106、および吸収体106の外側に配置される側方フラップ103とを備える。
【００５３】
おむつ101のこの液体透過性被覆層102は吸収体106の外側で、吸収体106全体の周囲を取り囲むように延びる。この液体透過性被覆層102は、この目的に適した任意の材料から構成することができる。通常見られる液体透過性被覆材の例には、不織布材として知られる不織織物材、穴の開いたプラスチックフィルム、プラスチックまたは織物から形成されるメッシュ、および液体透過性フォーム層などが含まれる。主として用品の長手または横方向に延びる連続する細い繊維から形成される液体透過性被覆材も一般的である。表面の異なる部分で異なる材料から構成される被覆と同様、2つまたはそれ以上の上で述べた考え得る被覆材から構成される積層材も一般的である。
【００５４】
今日一般的な状況は、この液体透過性被覆層102は、着用されているとき、おむつ101により良いフィット具合をもたらすために完全にまたは部分的に弾力性のある材料から構成されることである。
【００５５】
特に高強度および高摩耗抵抗性を示す吸収体106を含むおむつ101は、着用されているとき着用者に向かって面するおむつ101の側にどのような余分の液体透過性被覆層を設ける必要なしに機能するであろう。
【００５６】
裏当て層104も、吸収体106を越えて吸収体106全体の周囲を取り囲むように延びる。おむつ101に通常存在する裏当て層104は、他の種類の裏当て層も見られるが、通常は液体不透過性である。裏当て層104は、一連の異なる材料から構成することができる。裏当て層104は、最も一般的には薄い液体不透過性のプラスチックフィルムから構成されるが、他の種類の液体不透過性材料、例えばプラスチック被覆、液体不透過性フォーム層、液体不透過性接着剤などを使用して液体不透過性にされた不織布材を使用することも可能である。裏当て層104は、液体不透過性の、蒸気透過性材料から構成することもできる。吸収体106に対して配置される少なくとも1枚の液体不透過性層を含む積層材も一般的である。これらの積層材は通常、湿分バリアとして機能する液体不透過性材料および着用されているときおむつ101の着用者から見て外方に向く側に配置される、より織物に似た材料から構成され、その結果として着用されているとき、おむつ101の外側は布により近似している。この積層材の織物様の層は通常不織布層から構成され、それに関連してこの不織布層は雄型のフック・ループ(面ファスナー)材用の受け材として機能するように構成することができる。この種類の不織布材は、閉リング(closed eyes)、いわゆるループ等を備えることを特徴とする。
【００５７】
この液体透過性被覆材102および裏当て層104は、吸収体106の外側で吸収体106の周囲全体に沿って互いに結合される。
【００５８】
この液体透過性被覆材102および裏当て層104は、多数の異なる方法を使用して互いに結合させることができる。取付け方法の例には接着、熱溶着、超音波溶着等が含まれる。
【００５９】
弾性機構105は、吸収体106の外側で本質的におむつ101の長手方向に延びるおむつ101の側方フラップ103の部分に配置される。この弾性機構105は脚部弾性材として機能し、かつ液体およびふん便がおむつ101の長手方向縁部112,133から外に漏れることを防止する役割を果たし、かつこのような方法でそれらは取り囲む層と共に外側湿分バリア108を形成する。この弾性機構105は、少なくともおむつ101の股部123において、引き伸ばされた状態で液体透過性被覆層102と裏当て層104との間に取り付けられた1つまたは複数の弾性糸から構成される。この弾性機構105は、裏当て層104および被覆層102に接着、超音波溶着等によって取り付けられる。
【００６０】
代替実施形態では、この弾性機構は、着用されているとき着用者に向かって面することになる側方フラップ103の側に、または側方フラップの反対側に配置することができ、そのようなものとしてそれらは、当然ながら被覆層102および裏当て層104にのみそれぞれ取り付けられる。
【００６１】
代替実施形態では、この弾性機構は例えばフォーム材から作られる弾性テープ材から構成することができる。
【００６２】
砂時計形状の吸収体106は、1つまたは複数の層のセルロース綿毛状パルプから構成することができる。このセルロース綿毛状パルプはこの目的のために、吸収と関連して液体含有ゲルを形成するように大量の液体と化学的に結合する種類の高吸収性高分子材料の繊維または粒子と混合することができる。吸収体106は、吸収体の内側の層内に、または吸収体の表面または両表面と共に配置される高吸収性高分子材料も含むこともできる。吸収体106の特性を改良するための追加の成分も吸収体106内に設けることができる。そのような成分の例には、結束繊維、異なる種類の液体分配層または繊維、形状安定化成分、補強繊維等が含まれる。この吸収体106は当然ながら、吸収不織布材、吸収フォーム、織物材、泥炭または異なる種類の吸収材料の混合物などの別の種類の吸収材料からも構成することもできる。
【００６３】
一時的に貯蔵した液体を吸収体106の別の部分に引き続き放出するために、極めて大量の液体を急速に受け入れ、かつこの液体を一時的に保持する能力を有する特別な層も前述の種類のおむつに含めることができる。そのような受け入れ層は、この目的のためにおむつ101の液体透過性被覆層102と吸収体106の間に通常配置される。図1に受け入れ層は示されていない。
【００６４】
液体またはふん便がおむつ101の側方縁部112,113を介して漏れるのをさらに防止するため、おむつ101には、着用されているとき着用者に向かって面することになる側に内側漏れバリア109が設けられている。この内側漏れバリア109は、吸収体106の長手方向縁部110に隣接して配置され、本質的におむつ101の長手方向に延びる。それぞれの内側漏れバリア109は、2つの本質的に平行な長手方向縁部116,117を有する別個の材料ストリップ111から形成される。この材料ストリップ111は2重に折られており、それと関連して材料ストリップ111の長手方向縁部116,117は互いに隣接して配置される。材料ストリップ111の縁部116,117は被覆層102に取り付けられ、内側漏れバリアの取り付けられた縁部を構成する。材料ストリップ111の折られた縁部は、内側漏れバリア109の自由縁部を構成する。
【００６５】
この内側漏れバリア109は下側に折られ、おむつ101の前側端部121および後側端部122上で被覆層102に取り付けられる。この内側漏れバリア109は、予張力の掛かった状態で内側漏れバリア109に取り付けられる弾力性のある要素124を備える。この弾力性のある要素124は、内側漏れバリア109の自由縁部に隣接して配置するのが便利である。予張力の掛かった弾力性のある要素124が張力解放されるとき、それらは内側漏れバリア109の自由縁部と一緒に収縮し、それによって、おむつ101の少なくとも股部123で、内側漏れバリア109を液体透過性被覆層102から離れて隆起する形態になるようにさせるが、この場合、側方漏れバリア109は下に折られておらずかつ被覆層102に取り付けられていない。
【００６６】
このおむつ101の後側および/または前側は、着用者のウエスト周りに柔軟かつしなやかな締め付け部をおむつ101にもたらすためにおむつ101の前側横縁部114および/または後側横縁部115に沿って配置される弾力機構から構成される、いわゆるウエスト部伸縮体125を設けることもできる。本明細書で説明する例示的な実施形態では、おむつ101の後側端部122のみウエスト部伸縮体125が設けられている。本明細書で示す例では、この伸縮体125は、裏当て層104と液体透過性表面層102との間に接着剤を使用して取り付けられる弾力性のあるフォーム材の薄いストリップから構成される。このウエスト部伸縮体125は、着用者のウエスト周りでおむつ101を引き伸ばす保持力をもたらすために層102,104の間に引き伸ばされた状態で設けられる。
【００６７】
2つの柔らかなかつ非弾力性の取付けフラップ126が、おむつ101を着用者の周りに固定する目的で後側端部122に配置される。1つの取付けフラップ126が、この目的のために後側端部122の各々の側方部分に配置される。この取付けフラップ126は着用されているとき、おむつ101の前側端部121上に配置される受け部分に取り付けることができる固定機構127を有する取付けフラップ126によって、後側端部122を前側端部121に結合する。この取付けフラップ126は、非常に柔らかなかつ非弾性の材料、例えば、単一の不織布層または積層材から適切に形成される。
【００６８】
この取付けフラップは、代替実施形態では弾力性を有することができる。
【００６９】
この固定機構127は好ましくはフック・ループ材の雄型部分から構成され、例えば接着剤で、取付けフラップ126の、着用されているときおむつ101の受け部分に面する側で取付けフラップ126に取り付けられる。
【００７０】
図1に示されていない取付けフラップ126用の受け部分は、取付けフラップ126の固定機構127に対し適合する受け材のストリップから構成される。この受け部分は、おむつが着用されているとき着用者から見て外方に向く側、すなわち吸収体106から見て外方に向く裏当て層104側の前側横方向縁部114に本質的に平行に延びる。本明細書で説明する例示的な実施形態では、受け部分の材料はフック・ループ材の雌型部分から構成され、おむつ101の長手方向における受け部分の範囲が取付けフラップ126の幅129に対応するように適切に作成される。この受け部分は、おむつ101の横方向におむつ101の全幅にわたり実質的に延びる。
【００７１】
おむつの代替実施形態では、それぞれの固定機構127用の別々の受け部分の配置を考慮することが可能であり、その場合、この受け部分は、おむつの長手方向縁部112,113と関連して、おむつ101の前側横方向縁部114上に配置される。
【００７２】
幼児におむつ101を着用させるとき、おむつ101は幼児の脚の間の幼児の股部内に配置される。このおむつ101は次いで、おむつを定位置に保持するために取付けフラップ126の固定機構127を受け部分に張り付けることができるように、取付けフラップ126を前側端部121にオーバーラップさせることによって幼児のウエスト周りで封止される。
【００７３】
この取付けフラップ126は、長手方向に延びる横縁部112,113に隣接する後側端部122の領域内に配置される取付け領域130内で、後側端部122に取り付けられる。この取付け領域130は、取付けフラップ126の部分および後側端部122のうちの互いに取り付けられる部分から構成される。
【００７４】
代替実施形態のこの取付けフラップ126の固定機構127は感圧接着剤から構成することができ、その場合、この受け部分(図1に図示せず)は、適切な接合部強度を達成できるように、固定機構127の選択された感圧接着剤が張り付くことができる材料から構成される。着用されている間におむつ101を点検できるように、固定機構127と受け部分の間の取付け部を開いたり再び閉じたりできるような材料の組合せが通常は選択される。
【００７５】
代替実施形態では、裏当て層104は取付けフラップ126の固定機構127と相互に作用するようになされることができ、その場合は特別な受け部分は必要ではない。
【００７６】
図1bには、着用されているとき着用者から見て外方に向くことになる側から、おむつ101が示され、それと関連しておむつ101は、着用される前、またはおむつ101が適合する身体サイズを有する着用者によって着用された後で示されている。
【００７７】
このおむつ101は、3つの材料層を備えるラベル119を備える。この3つの材料層は、おむつ101から最も離れた、最も外側に配置される透明な模様層145、おむつ101に最も近接して最も内側に配置されるバックグラウンド層146、および模様層145とバックグラウンド層146の間に配置される中間層147から構成される。模様118が透明な模様層145の上に配置され、それと関連して模様118が中間層147およびバックグラウンド層146上に重ね合わされる。
【００７８】
このおむつ101は、ラベル119の中間層147が第1の状態で本質的に透明であり、それと関連して、バックグラウンド層146および模様118が本質的に同じ色の濃さを示すために、この模様118がバックグラウンド層146を背景に透明な中間層147を通して本質的に目に見えないことを最も重要な特徴とする。この中間層147が伸長作用を受けるとき、中間層147は第2の、本質的に透明度のより少ない状態へと変化させられ、それと関連して模様118が中間層147を背景に浮き出てくる。
【００７９】
おむつ101が着用者に装着されるとき、おむつ101の取付けフラップ126がおむつ101の前側端部121に取り付けられるとき、おむつ101は着用者のウエスト周りで引き伸ばされる。それと関連しておむつ101のウエスト部伸縮体125がその当初の収縮した状態から引き伸ばされ、それと関連してラベル119はウエスト部伸縮体125と一緒に伸長させられる。
【００８０】
おむつ101を着用者に装着させることに関連して、ラベル119の中間層147が過度に大きく伸長させられる場合、この中間層147はその第2の状態へと変化させられ、それと関連してこの第2の状態は、第1の、非伸長状態と比較して本質的により少ない透明性を示す。その結果、このバックグラウンド層146は中間層147によって本質的に隠され、それと関連して中間層147は模様118に対する新たなバックグラウンドをもたらす。
【００８１】
この結果、模様118の色の濃度と同じ色の濃度を示さない中間層147を背景に、模様118が目に見えるようになる。
【００８２】
おむつ101が正しいサイズであり、着用者のウエスト周りに過度にきつく張力が掛けられない場合は、ラベル119の中間層147は透明なままであり、それと関連して模様118はおむつ101の着用中または着用後のいずれでも目に見えないであろう。
【００８３】
図1cには、着用されているとき着用者から見て外方に向くことになる側からおむつ101を示し、それと関連しておむつ101は、それが着用されかつおむつ101が着用者のウエスト周りで過度にきつく引き伸ばされた後の状態で示されている。
【００８４】
最も普通の理由の1つは、おむつ101が着用者(幼児または失禁症患者)に対して小さすぎることであるが、多くの異なる理由のために、このおむつ101は着用者のウエスト周りで過度にきつく引き伸ばされた可能性がある。別の一般的な理由は、おむつの交換を行う人(介護者または親)がおむつ101からの尿またはふん便の漏れのリスクを減らすことができるという考えで、ウエスト周りに過度にきつくおむつ101に張力を掛けることである。
【００８５】
中間層147がその第2の、本質的に不透明の状態に変化させられており、それと関連して模様118に対する色彩コントラストがおむつを着用することと共に達成されているので、語「OVER STRETCHED(過剰緊張)」の形態の模様118は今やラベル119上で読むことができる。
【００８６】
この模様118は、おむつが着用者のウエスト周りに不必要にきつく引き伸ばされてしまっている場合は、介護者/親に対する警告メッセージを提供し、彼らに通知する。
【００８７】
この模様118は、代替実施形態では、代替の警告字句、例示的な図形、記号等の形態の警告メッセージから構成することができる。例えば、より大きなサイズのおむつ101を得ることが望ましいことに関する情報は、おむつ101がウエスト領域で過度に引き伸ばされたとき明示することができる。
【００８８】
この模様118は、別の代替実施形態では、画像、字句および記号の組合せから構成することができる。
【００８９】
このラベル119は慎重に作られ、使用される前、あるいはおむつ101が適合する身体サイズを有する着用者に正しく使用された後では目に見える模様を示さない。
【００９０】
このラベル119は長方形の形態を示し、その長い側を後側横方向縁部115と平行に、おむつ101の後側横方向縁部115と共に配置される。ラベル119の両端領域120はおむつ101の裏当て層104に超音波溶着を使用して取り付けられるが、代替実施形態では接着、熱溶着等で取り付けることもできる。
【００９１】
おむつ101の裏当て層104に取付け中に取り扱いによって中間層147が完全にまたは部分的にその第1の状態からその第2の状態へと変化させられるような、ラベル119に物理的に影響する取付け方法を避けることは重要ではあるが、本発明にとってはラベル119をおむつ101に取り付ける方法は重要ではない。
【００９２】
中間層147がその第1の、本質的に透明な状態からその第2の、少なくとも部分的に不透明な状態へと変化させられることができるようにラベルを十分に引き伸ばすことが可能であるように、ラベル119をおむつ101に取り付けることも重要である。したがって、この中間層147は、おむつ101に貼り付けられる時点では、その第1の、本質的に透明な状態でなければならず、少なくともおむつ101が着用者に装着されるまでそのままでなければならない。
【００９３】
本明細書で説明する実施形態では、その関連する模様118を伴うラベル119は、おむつ101の後側横方向縁部115上に、ウエスト部伸縮体125に隣接して配置される。
【００９４】
代替実施形態では、着用者の身体に対する接触力が過剰に高い場合に目に見えるようになるであろう模様118を備えるラベル119を、おむつ101のどこか別の伸長性を持たせたゾーンに配置することができる。適切な位置には、おむつを着用することに関連して自動的に引き伸ばされるおむつ101の領域が含まれる。
【００９５】
代替の位置の例には、それらが弾力性のある特性を示す場合は、おむつ101の前側側面材131または後側側面材132の上が含まれる。
【００９６】
別の考えられる位置は、それらが弾力性を有する場合は、おむつ101の取付けタブ126上である。
【００９７】
当然ながら、おむつ101が前側横方向縁部114のところで弾力性のある特性を示す場合は、模様118を含むラベル119をおむつの前側端部121上に、おむつ101の前側横方向縁部114に隣接して配置することも可能である。
【００９８】
着用者の鼠径部に対するおむつ101の過剰緊張はよくある出来事である。そのような過剰にきつい緊張を示すために、本発明によるラベル119をおむつ101の側方フラップ103上の弾力機構105に隣接して、かつ/または弾力要素124に隣接する内側漏れバリア109上に配置することが適切である。これらのラベル119は、おむつが着用されている間、点検するのが困難/不可能であり、したがって点検はおむつ101の交換と共に行わなければならない。
【００９９】
おむつ101を着用することに関連する当初の伸長の後にウエスト部伸縮体125が縮む場合、おむつ101のウエスト部伸縮体125上に配置されるラベル119がゆるくだぶだぶになるのを防止するために、弾力性のある性質を有するラベル119を設計することが適切である。例えば、層145,146,147のうちの少なくとも1つを弾力性のある材料から作り、層145,146,147を一緒に積層させることは可能であり、この場合ラベル119は弾力性のある特性を有するであろう。
【０１００】
代替実施形態では、ラベル119の層145,146,147は裏当て層104と一緒にウエスト部伸縮体125の上に積層することができ、それと関連してラベル119はウエスト部伸縮体125と一緒に縮むことができる。
【０１０１】
ラベル119の中間層147は、粘弾性伸長を受けるとき透明な状態から白く、少なくとも部分的に不透明になるように変化させられるプラスチックフィルムからなる。
【０１０２】
特定のプラスチック材料が粘弾性伸長を受けるとき色彩を変え、白くなることは周知の事実である。
【０１０３】
中間層147のその第1の、本質的に透明な状態からその第2の、少なくとも部分的に不透明な状態への移行は不可逆であり、中間層147の塑性変形によって生じる。不透明への変化は、塑性変形を行うとき材料の残りと共に伸長されない中間層147内の固体粒子の形態の充填材の存在の結果としての、中間層147内の微小な孔または空洞の形成によってもたらされる。これらの微小孔または空洞は、光が屈折され、かつ入射光の大部分が層を通過する代わりに反射されることを意味する。中間層147に顔料を収容する微小アンプルを設けることも考え得る。この微小アンプルは材料を伸長させることによって破られ、顔料が層を着色するであろう。
【０１０４】
当然ながら、本発明が上記の説明によるラベル119から構成されることは必要ではない。代替の実施形態では、例えば、層145,146,147はおむつ101上に順に重ねた別々の層として配置することができる。
【０１０５】
3つの層145,146,147のうちの2つがおむつ101に貼り付けられる前に互いに結合される可能性も想像することが可能である。例えば、バックグラウンド層146および中間層147が第1段階でおむつ101に取り付けられる結合された第1の構成部品を構成することができ、その後で模様118を収容する模様層145がこの第1の構成部品の上面に配置される。
【０１０６】
米国特許第5,190,812号明細書には、ラベル119の中間層147におそらく使用することができるフィルム材が開示されている。このフィルム材は、引き伸ばしによって本質的に透明な状態から本質的に不透明な状態へと変化する特性を示す。このフィルム材は弾力性のある特性も示し、その場合、本発明によるおむつ101に使用する前に透明な弾力性のあるどのようなフィルム材とも共に積層する必要はない。このフィルムは繊維から形成され、1つまたは複数の弾力性のある層および1つまたは複数の非弾力性の材料から構成される。
【０１０７】
引き伸ばされるとき不透明な状態に変化する透明フィルムを製造するために、この特許発明によれば制御される形態のもとでの熱および圧力が使用される。このフィルム材の弾力性のある成分は、約300％〜500％までの伸長の後で20％を超えない残留伸びを示す。
【０１０８】
この不透過率は、このフィルム材の非弾力性成分が伸長中塑性変形を受けるとき、もたらされ、それと関連して不透過率における相違は約5％までの伸長の後で既に気付くことができる。これらの特性は、フィルム材内の構成成分およびその厚さを変更することによって影響を及ぼすことができる。上記文献は、本発明に適したフィルム材用の適切な成分および製造方法を開示する。
【０１０９】
おむつ101上のラベル119の位置に応じてラベル119の中間層147は、身体の異なる部分が接触圧力に対して異なる感受性を示すので、その第1の、本質的に透明な状態からその第2の、より不透明な状態へと、異なる伸びに対して変化させられなければならない。例えば、ウエスト周りのおむつ101の緊張/おむつ101による接触は、内側漏れバリア109の着用者の鼠径部領域との過剰にきつい接触より感受性が低い。接触が行われるところの着用者の腹部上の点に加えて、引き伸ばしの度合いは弾力性のある要素によって示される引き伸ばし力によって決まるので、ラベル119の中間層147がその第1の状態からその第2の状態へと変化しなければならない点の正確な値の表示は、トライアルエラー方法によって到達しなければならない。
【０１１０】
米国特許第5,200,247号明細書は、引き伸ばされるとき、その基本的な状態の本質的に透明である様態から本質的に不透明な状態である様態に変化させられる代替のフィルム材を開示する。この開示されるフィルム材は、ポリカプロラクトン(PCL)とポリビニルアルコール(PVA)の混合物から構成される。この混合物の成分のうちのいずれかを専ら有して製造されるフィルムは引き伸ばされるとき不透明にならないが、この材料の混合物の場合は、引き伸ばされるとき結果として得られるフィルム材は本質的に不透明になる。
【０１１１】
米国特許第5,200,247号明細書の実施例1および4が機能的な混合物を開示する。同文献の図5は、実施例4によって製造される材料が、その長さの増加が伸長速度を変化させることによって達成された200％(6インチから18インチ)の長さの増加に対して、どのように光透過性を減少させるかを示す。約5mm/秒の伸長速度では、材料の光透過性は、問題の伸長の1つの材料に対して既に約85％から20％に減少する。このフィルム材の光透過性の変化は、材料が引き伸ばされるときの微小孔および微小空洞の形成の結果として起こり、それと関連してこの孔/空洞が、そうでない場合は通過するであろう光を捕まえる。
【０１１２】
米国特許第5,200,247号明細書に開示される方法は、その材料が例えば吸収材用品に貼り付けられる前に不透明にするための材料の層の引き伸ばしに主として関しているが、材料がそれを不透明にするために室温で引き伸ばすことができるという記述を考えると、非引き伸ばしの透明な状態で貼り付けることができることは明らかである。
【０１１３】
製造方法全体のより詳細な説明およびフィルムに含まれる成分に対しては、米国特許第5,200,247号明細書全体について参照されたい。
【０１１４】
適切な、商業的に入手可能なフィルム材は、ＣＯＤＥ728の商品で、ＡＣＥ ＲＫＷ Film Division in Liege、Belgiumによって市販されている。
【０１１５】
本発明によるおむつ101のラベル119の中間層147に含めるのに適切ないくつかの考え得る材料の説明が上で与えられているが、この分野の技術者は、これらの材料は同じ効果を示す別の材料によって交換できることを容易に理解するであろう。本発明の本質的な性質は、材料の特性がその第1の状態で本質的に透明であり、十分な程度伸長された後、ラベル119のバックグラウンド層146が本質的に隠されそれと関連して模様が目に見えるようになるように、第2の状態での材料が少なくとも部分的に不透明になるという要件を満たさなければならないというものである。材料の選択それ自体は、それが健康に有害であるとみなすが、あるいは他の同様な因子を考慮に入れるときおむつ101またはいくつかの吸収用品へのその使用は望ましくないとみなすことができない限り格別重要ではない。
【０１１６】
材料層の不透過率値は、例えば下にある字句を材料層を通して視覚的に隠すか、あるいは本明細書で説明する実施形態の場合のように、模様118が目に見えるようになるようにバックグラウンド層146を隠す材料の層の能力の1つの尺度である。
【０１１７】
この不透過率は、100％の不透過率は材料層を通して何も見ることができず、0％は材料層が完全に透明であることを示す場合の、パーセント値として測定される。
【０１１８】
不透過率測定の原理は、標準化された黒のバックグラウンド層に対する材料層を通過する光反射率係数(R0)、および材料層の束に対する固有光反射率係数(R∞)を測定することを含み、その場合、材料層の束は完全に不透明である。不透過率は、式100×R0/R∞によって求められる。
【０１１９】
測定は本来、白の、またはほとんど白の紙の不透過率を測定するためのものであるＩＳＯ2471:1998の方法によって行われた。しかしながら、この方法は本発明に適した種類の材料に対しても機能する。
【０１２０】
測定は米国Technidyneからの、Color Touch 2、型式ＩＳＯを使用して行われ、それと関連して較正が装置と一緒に供給されたマニュアルに従って行われた。
【０１２１】
測定された不透過率値は、5つの測定に対する平均値からなる。
【０１２２】
ＡＣＥ ＲＫＷ Film Division(Liege、Belgium)からのＣＯＤＥ728フィルム材の不透過率は、その第1の、非引き伸ばし状態で行われ、それと関連して材料のこの層は、48.1％の不透過率を示した。
【０１２３】
このフィルム材はラベル119に対する中間層147として貼り付けられ、それと関連してラベル119のバックグラウンド層146は中間層147を通して明瞭に目に見えた。透明な模様層145上に配置される模様118がバックグラウンド層146と同じ色の濃さを示すので、この中間層147がその第1の状態にあるときこの模様118は本質的に目に見えない。
【０１２４】
約200％引き伸ばされたとき、すなわちそれが第2の状態に変換されたとき、この同じフィルム材は、76.2％の不透過率を示した。中間層147のこの不透過率で、バックグラウンド層146は隠され、それと関連して模様118は中間層147を背景に比較的明瞭に見ることができた。
【０１２５】
約200％フィルム材を引き伸ばすことは、材料層の厚さが引き伸ばし前の70μmから引き伸ばし後の25μmに減少したことを意味する。
【０１２６】
第2の測定では、ＡＣＥ Film Divisionからの同じフィルム材の2枚の中間層147が互いに重ねて配置され、その後この二重層の不透過率が測定された。この層は、それらの第1の状態で70.5％の不透過率を示し、それと関連してバックグラウンド層146は中間層147を通して明瞭に見ることができ、かつそれと関連して模様118は本質的に目に見えなかった。
【０１２７】
それらの第2の、引き伸ばされた状態では、中間層147は89.1％の総計の不透過率を示した。この第2の測定の目的のためにやはり、これらの層が第2の状態にあるときそれらは約200％引き伸ばされていた。バックグラウンド層146が2枚の中間層147によって非常に効果的に隠されていたので、模様118は今では非常に明瞭であった。
【０１２８】
図2aは、ラベル219が引き伸ばされる前の、上記の図1bおよび図1cによる例示的な実施形態で説明した種類のラベル219を示す。
【０１２９】
図2bは、ラベル219の引き伸ばし後の図2aのラベル219を示す。
【０１３０】
図2cは、3枚の層および警告字句「OVER STRETCHED(過剰緊張)」の形態の模様から構成されるラベル219の構造の分解図を示す。
【０１３１】
図1a、図1bおよび図1cに対応する記号を有する図2a、図2bおよび図2cで使用される記号は、図1a、図1bおよび図1cの数字列100〜199の対応する記号と同じ数字列200〜299の記号数字を有する。例えば模様層は図1bおよび図1cでは記号145、図2cでは記号245を有する。
【０１３２】
このラベル219は模様層245を備え、それと関連して警告字句「OVER STRETCHED(過剰緊張)」の形態の模様218は、模様層システム245上への印刷によって配置される。
【０１３３】
このラベル219はやはり、有色のバックグラウンド層246を備え、それと関連してバックグラウンド層246の色の濃さは、この印刷された模様218の色の濃さと一致する。この模様218および模様層245はバックグラウンド層246上に重ね合わされている。
【０１３４】
第3の層、いわゆる中間層247が模様層245とバックグラウンド層246の間に配置される。この中間層247は主として、2つの異なる状態、第1の、本質的に透明な状態および第2の、少なくとも部分的に不透明な状態を示すことができることを特徴とし、それと関連してこの第2の状態は中間層247を備えるラベル219を引き伸ばした後に得られる。
【０１３５】
この中間層247は、図2aおよび図2cにその第1の、本質的に透明な状態で示され、それと関連して字句「OVER STRETCHED(過剰緊張)」は、バックグラウンド層246が模様218の色の濃さと同じ色の濃さを示すことに起因して目に見えない。
【０１３６】
図2cに示す分解図では、文字「VER」が分解図ではバックグラウンド層246の前に存在することに起因して、語「OVER」の字「O」のみが見えることが分かる。
【０１３７】
図2bでは、ラベル219は伸長を受けており、それと関連して中間層247はその第2の状態、本質的により不透明な状態に変換されており、その結果、印刷された警告字句「OVER STRETCHED(過剰緊張)」の形態の模様218が見えるようになっている。
【０１３８】
この模様層245、バックグラウンド層246および中間層247は全て同じ長さおよび幅を有し、それらの縁部が一致するように配置される。
【０１３９】
代替実施形態では、3枚の層245,246,247が異なるサイズを示すことを想像することは可能であるが、模様全体がラベルの引き伸ばし後に現れるように中間層247が模様218の全体を覆うことが重要である。
【０１４０】
別の代替実施形態では、バックグラウンド層246が吸収用品の液体不透過性裏当て層、またはその液体透過性被覆層から構成されることも想像可能であるが、それと関連して模様218の色の濃さはバックグラウンド層を構成する層に従って適合されなければならない。
【０１４１】
この中間層247は、ラベル219が吸収用品に貼り付けられるとき、その第1の、本質的に透明な状態を示し、それと関連して、模様218およびバックグラウンド層246は同じ色の濃さを示すので、かつ中間層247が本質的に透明なので、模様218はバックグラウンド層246を背景に目に見えない。
【０１４２】
ラベル219が伸長されるとき、中間層247はその第2の、少なくとも部分的に不透明な状態に変換され、それと関連して、バックグラウンド層246を隠す少なくとも部分的に不透明な中間層247を背景に模様218は目に見えるようになる。
【０１４３】
模様層245、中間層247およびバックグラウンド層246は一緒に積層され、一緒にラベル219を形成する。
【０１４４】
吸収用品に向かって面することになるバックグラウンド層246の側で、バックグラウンド層246がラベルの製造と関連して既に感圧接着剤で被覆されており、その場合、ラベル219はいかなる余分な接着剤の塗布も必要とせずに吸収用品に直接貼り付けることができる。
【０１４５】
代替実施形態では、ラベル219は接着剤で被覆せずに吸収用品用の製造機械に供給することができ、その場合、ラベル219はそれらの吸収用品への貼り付けと共に接着剤で被覆しなければならない。
【０１４６】
ラベル219は通常ロール形態で供給され、その場合、個々のラベル219は吸収用品へのそれらの貼り付けと共にロールから分離される。
【０１４７】
図3aおよび図3bには本発明の代替実施形態によるおむつ301を示す。図3aおよび図3bでおむつ301は、着用されているとき着用者から見て外方に向くことになる側から示されている。
【０１４８】
前図のうちのいずれかに対応する記号を有する図3aおよび図3cで使用される記号は、以前の図のより下の数字列の対応する記号と同じ数字列300〜399の記号数字を有する。例えば模様層は、図1bおよび図1cでは記号145を、図3では記号345を有する。
【０１４９】
おむつ301は図1a、図1bおよび図1cのおむつ101と本質的に同じように構成される。おむつ301は主として、成人失禁症着用者用の、いわゆる失禁おむつであり、それと関連してそれは例えば、病院内で患者の看護または家庭での高齢者のために使用される。そのような介護の提供はその性質によってそれぞれの個々の患者の介護に多数の介護人が関わり、それと関連して、どのサイズを特定の患者に対して使用されたかに関して、明瞭性の欠如がしばしば容易に生じる。
【０１５０】
このおむつ301は、2枚の材料層を備えるラベル319を示す。この2枚の材料層は、おむつ301の裏当て層304に最も近接して配置されるバックグラウンド層346、およびバックグラウンド層346のおむつ301から見て外方に向く表面に配置される模様層345から構成される。
【０１５１】
模様318は、模様層345のおむつ301から見て外方に向く側で、模様層345上に配される。
【０１５２】
おむつ301は、ラベル319の模様層345が第1の状態で本質的に透明であり、それが伸長させられるとき本質的に、より不透明な状態に変換されることを最も重要な特徴とする。
【０１５３】
したがってこの実施形態では、おむつ301の模様層345はおむつ301の中間層347をも構成し、それと関連して模様318は、模様層345のバックグラウンド層346から見て外方に向く表面上に配される。
【０１５４】
この模様318は、バックグラウンド層346と本質的に同じ色の濃さを示し、それと関連して模様318は、模様層345がその第1の、本質的に透明な状態にあるとき、バックグラウンド層346を背景に模様層345を通して本質的に目に見えない。
【０１５５】
ラベル319が広げられるとき、模様層345はその第2の、本質的に不透明な状態に変換され、それと関連して模様層345のバックグラウンド層346から見て外方に向く表面上に配される模様318が目に見えるようになる。
【０１５６】
この模様318は、字句「CHECKED(点検済み)」から構成される。
【０１５７】
模様318を含むラベル319は、どのような弾力性のある特性も示さない裏当て層304の領域に配置される。
【０１５８】
ラベル319は本質的に四角な形態を示し、それと関連してラベル319の縁部のうちの2つは、おむつ301の前側横方向縁部314に対して本質的に平行に配置される。
【０１５９】
ラベル319は、おむつ301の前側横方向縁部314に垂直に配置されるラベル319の縁部のうちの1つに沿って超音波溶着される永久的な結合部337によって、おむつ301の裏当て層304に取り付けられる。
【０１６０】
分離可能な接着接合部338が、ラベル319の反対側縁部を剥離剤によって処理されている裏当て層304の上に配置される表面339に結合する。
【０１６１】
接着接合部338の接着剤は、感圧ホットメルト接着剤から構成される。
【０１６２】
剥離剤で処理された表面339は、裏当て層304上に配置されるシリコン処理をした表面から構成される。
【０１６３】
代替実施形態では、剥離剤で処理されていた表面339は、おむつ301の裏当て層304に取り付けられている材料の別個の部片から構成することができる。この場合の材料部片は、片面がシリコン処理された1枚の紙、パラフィン紙、エンボス加工されたプラスチックフィルム等から構成することができる。
【０１６４】
おむつ301が着用されているとき、単純な操作で分離可能な接着接合部338を手動で分離し、次いで模様層345がその第2の、本質的により透明性の劣った状態に変換させられるような程度におむつ301の横方向にラベル319を伸長させることによって、模様318が現れるようにすることが可能である。伸長後、接着接合部338は感圧接着剤を使用して、おむつ301の裏当て層304に再び取り付けられる。新たに作り出された接着接合部はその後のどのような場合にも開かれないであろうから、剥離剤で処理されていない裏当て層304の表面にこの接着接合部の再封止部を配置することは適切である。引き伸ばされかつ再封止されたラベル319を有するおむつ301が図3bに示され、それと関連して模様318が見える。
【０１６５】
この実施形態によるラベル319を含むおむつ301は、上で述べたように多数の異なる介護者が一人のかつ同じ患者に対して介護する失禁介護に使用するのに特に適している。模様318が目に見えるようにラベル319を広げることによって、次の介護者に例えばその中の尿の量に関しておむつ301が点検されていることを示すことが可能である。当然ながら、上記説明に従ってラベル319を使用して、患者に対して行われた他の措置の代替の表示を示すことも可能である。
【０１６６】
図3aおよび図3bに示す実施形態によるラベル319は、当然ながらラベル319が弾力性のある特性を示す場合にもどのような不利益も存在しないが、ラベル319はおむつ301のどのような弾力性のある要素とも相互作用することは意図していないので、弾力性のあることは必要ではない。
【０１６７】
図4aは、ラベル419が広げられる前の、上記の図3aおよび図3bによる例示的な実施形態で説明した種類のラベル419を示す。
【０１６８】
図4bは、引き伸ばし後の図4aのラベル419を示す。
【０１６９】
図4cは、2枚の層および字句「CHECKED(点検済み)」の形態の模様を備えるラベル419の構造の分解図を示す。
【０１７０】
前図のうちのいずれかに対応する記号を有する図4a、図4bおよび図4cで使用される記号は、以前の図でより低い数字列での対応する記号と、数字列400〜499での同じ記号数字を有する。
【０１７１】
このラベル419は、同時にラベル419の中間層447をも構成する模様層445、ならびにバックグラウンド層446を備える。字句「CHECKED(点検済み)」の形態の模様418は、バックグラウンド層446から見て外方に向く模様層445、すなわち模様層445の外向きに面する表面448上に印刷によって配される。
【０１７２】
バックグラウンド層446の色の濃さは、重ね合わされた印刷された模様418の色の濃さと一致する。
【０１７３】
この模様層445は、それが2つの異なる状態、第1の、本質的に透明な状態および第2の、少なくとも部分的に不透明な状態を示すことができることを最も重要な特徴とし、それと関連して、この第2の状態は模様層445を含むラベル419を引き伸ばした後に得られる。
【０１７４】
この模様層445は、図4aおよび図4cにその第1の、本質的に透明な状態で示され、それと関連して字句「CHECKED(点検済み)」は、バックグラウンド層446が模様418の色の濃さと同じ色の濃さを示すことに起因して目に見えない。
【０１７５】
図4cに示す分解図では、文字「CH」は完全に見えるが、他方、語「CHECKED」の文字「ECKED」は下半分しか見えない。文字「ECKED」の上半分がなぜ見えないかの理由は、それらがこの文字の色の濃さと同じ色の濃さを示すバックグラウンド層446の前側に存在し、かつ模様層445がその第1の状態で透明であるからである。
【０１７６】
図4bでは、ラベル419は伸長を受けており、それと関連して模様層445はその第2の状態、本質的により不透明な状態に変換されており、その結果、印刷された字句「CHECKED(点検済み)」の形態の模様418が目に見えるようになっている。
【０１７７】
この模様層445およびバックグラウンド層446は長方形であり、それと関連して両方の層445,446は同じ長さおよび幅を示し、それらの縁部が一致するように配置される。
【０１７８】
代替実施形態では、ラベル419が代替形態、例えば円形形態、楕円形形態等を有することを想像できる。
【０１７９】
別の代替実施形態では、バックグラウンド層446が吸収用品の液体不透過性裏当て層、またはその液体透過性被覆層から構成されることが考えられ、それと関連して模様418の色の濃さはバックグラウンド層を構成する層に従って適合されなければならない。
【０１８０】
この模様層445は、ラベル419が吸収用品に貼り付けられるとき、その第1の、本質的に透明な状態を示し、それと関連して、模様418およびバックグラウンド層446は同じ色の濃さを示し、かつ模様層445が本質的に透明なので、模様418はバックグラウンド層446を背景に目に見えない。
【０１８１】
ラベル419が伸長されるとき、模様層445はその第2の、少なくとも部分的に不透明な状態に変換され、それと関連して、バックグラウンド色の新しい濃さが本質的により不透明な中間層447の形態で作り出されているので、模様418は目に見えるようになる。
【０１８２】
この模様層445およびバックグラウンド層446は互いに積層され、一緒にラベル419を構成する。このラベル419も、別法として感圧接着剤なしで供給することもできるが、当然ながら貼り付けと共に、吸収用品に取り付けることになる側に感圧接着剤を備えることができる。
【０１８３】
図5は、主として失禁成人使用者のためのものであるパンツ型おむつ501を示す。前図のうちのいずれかに対応する記号を有する図5で使用される記号は、以前の図でより低い数字列での対応する記号と、数字列500〜599での同じ記号数字を有する。着用されているときの形態に似せた形態で前側から示すこのパンツ型おむつ501は、図1の開放式おむつ101と概して同じように構成される。このパンツ型おむつ501は、パンツ型おむつ501が下着と同じように、すなわち脚の上を通して着用者に装着させることになる点が図1の開放式おむつ101と主として異なる。パンツ型おむつ501の前側端部521および後側端部522は、製造中にこの場合はウエスト部領域で既にひとつに結合されており、それと関連してパンツ型おむつ501にはパンティの形態が与えられている。
【０１８４】
ウエスト結合部507は超音波溶着部から構成されるが、代替実施形態では接着接合部、熱溶着接合部、縫合接合部等から構成することができる。
【０１８５】
今日、パンツ型おむつ501を開いたり再び閉じたりできることは通例であり、それと関連してパンツ型おむつ501の端部521,522間の結合部507は、着用されているときパンツ型おむつ501の点検ができるよう開くことができ、次いで着用し続けることができるよう再び閉じることができる。この場合、事前形成された結合部507が分離され役に立たなくなった後再び閉じるのに使用できる取付けフラップ(図示せず)がパンツ型おむつ501に設けられているのが通常である。
【０１８６】
開くかまたは分離することができるパンツ型おむつ501は、パンツ型おむつ501を使用後着用者から取り外さなければならないとき、特にパンツ型おむつ501がふん便で汚されている場合にも有利である。この場合、おむつを着用者から取り外すべきとき、パンツ型おむつ501のウエスト結合部507は分離することができ、この結果、取り外し中、汚れたパンツ型おむつ501を着用者の脚および足の上を通過させる必要はない。
【０１８７】
パンツ型おむつ501上の模様の位置決めに関する限り、それらは図1の開放式おむつ101用に示された位置に対応する適切な位置に通常位置決めされる。
【０１８８】
模様は、パンツ型おむつ501のウエスト部を形成しかつウエスト部伸縮体525が配置される、パンツ型おむつ501の前側横方向縁部514に隣接しかつ/またはパンツ型おむつ501の後側横方向縁部515に隣接する裏当て層504上に存在させることが考えられる。模様をパンツ型おむつ501の前側および/または後側端部521,522の代替位置に位置決めすることも考えられる。
【０１８９】
このパンツ型おむつ501は、それが本発明に従って機能する模様518を備えるラベル519を含むことを特徴とする。このラベル519は、パンツ型おむつ501の前側端部521のウエスト部伸縮体525上に配置される。
【０１９０】
このラベル519は3枚の材料層を備える。この3枚の材料層は、おむつ501から最も離れて配置される透明な模様層545、おむつ501に最も近接して配置されるバックグラウンド層546および模様層545とバックグラウンド層546との間に配置される中間層547から構成される。字句「ＴＥＮＡ」の形態の模様層518が透明な模様層545上に配置される。
【０１９１】
このパンツ型おむつ501は、ラベル519の中間層547が第1の状態で本質的に透明であり、それと関連して、バックグラウンド層546および模様518は本質的に異なる色の濃さを示すので、模様518が透明な中間層547を経てバックグラウンド層546を背景に見えることを最も重要な特徴とする。中間層547が伸長作用を受けるとき、中間層547は第2の、本質的により透明性の劣った状態に変換され、それと関連して、中間層547の色の濃さが模様518の色の濃さと本質的に同じ色の濃さである色の濃さに変化し、それと関連して模様層518が中間層547を背景に本質的に見えなくなる。
【０１９２】
パンツ型おむつ501が着用者に装着されるとき、特にパンツ型おむつ501が着用者の臀部の上を引っ張り上げられるとき、このパンツ型おむつ501は着用者のウエスト周りで引き伸ばされる。パンツ型おむつ501のウエスト部伸縮体525は、この場合、その当初の収縮した状態から広がり、それと関連してラベル519はウエスト部伸縮体525と一緒に伸長させられる。
【０１９３】
パンツ型おむつ501を着用者に装着させることに関連して、ラベル519の中間層547が伸長させられるとき、この中間層547は自動的にその第2の状態に変換され、それと関連してこの第2の状態は、第1の、非伸長状態と比較して相当に劣る透明性を示す。この場合、このバックグラウンド層546は中間層547によって本質的に隠され、それと関連して中間層547は模様118に対する新たなバックグラウンドを構成する。
【０１９４】
模様518の色の濃さは、中間層547がその第2の、本質的に不透明の状態に変換した後の、中間層547の色の濃さと一致するよう意図的に選択されており、それと関連して、模様518および中間層547の色の濃さは本質的に互いに溶け込む。
【０１９５】
代替実施形態では、ラベルのこの3枚の層545,546,547は、正しい順序でパンツ型おむつ501に取り付けられる別々の層に当然ながら取り替えることができる。
【０１９６】
図6aは、着用されているとき着用者に向いて面することになる側からの、本発明によるベルト型おむつ601を示し、図6bは同じベルト型おむつ601を反対側から示す。
【０１９７】
前図のうちのいずれかに対応する記号を有する図6aおよび図6bで使用される記号は、以前の図でより低い数字列での対応する記号と、数字列600〜699での同じ記号数字を有する。
【０１９８】
このベルト型おむつ601は、その取付け構造体が着用者のウエストを取り囲むことになる弾力性のあるベルト628を備える点で開放式おむつと異なり、それと関連して、このベルトはベルト628を着用者のウエスト周りに固定するための固定機構627を備える。
【０１９９】
このベルト628は、後側横方向縁部615に取り付けられ、ベルト型おむつ601の吸収体606に対して横方向に延びる。
【０２００】
代替実施形態では、このベルト型おむつ601は2つのベルト半体を備えることができ、その場合、ベルトのそれぞれの半体は、ベルト型おむつ601の長手方向縁部612,613上で後側横方向縁部615に隣接して、ベルト型おむつ601の液体透過性被覆層602および/または裏当て層604に接合される。
【０２０１】
この取付け構造体は、ベルト型おむつ601の長手方向縁部612,613上で前側横方向縁部614に隣接して配置される2つの前側固定機構640も備える。この前側固定機構640は、ベルト型おむつ601の着用者への装着と関連してベルト628に固定されることになる。
【０２０２】
この前側固定機構640は、ベルト628の、おむつが着用されているとき着用者から見て外方に向くことになる側と相互作用するフック・ループ要素641を備える。
【０２０３】
代替実施形態では、この前側固定機構640は、ベルト628の、着用者から見て外方に向く表面に固定することを意図された接合要素を備えることができる。この場合、ベルト628は、この接合要素と相互作用する表面を含まなければならない。
【０２０４】
ベルト型おむつ601を着用者に装着させるとき、第1の段階としてベルト628が着用者のウエスト周りに固定される。前側横方向縁部614および吸収体606を特に備えるベルト型おむつ601の吸収部が次いで着用者の脚の間を通過させられ、その後、2つの前側固定機構640が最終的にベルト628の、着用者から見て外方に向く側に取り付けられる。
【０２０５】
模様618を備えるラベル619は、ベルト型おむつ601の弾力性のあるベルト628上に配置される。このラベル619は、模様層645およびバックグラウンド層646を備える。ラベル619は、弾力性のあるベルト628の、おむつが着用されているとき着用者から見て外方に向く側に取り付けられ、それと関連してバックグラウンド層646はベルト628に向かって面する。
【０２０６】
ベルト型おむつ601は、ラベル619の模様層645が第1の状態で本質的に透明であり、それが伸長作用を受けるとき本質的により不透明な状態に変換されることを最も重要な特徴とする。したがって、この模様層645は、ベルト型おむつ601の模様層645および中間層647の両方を構成する層である。したがって模様618は、模様層645の、バックグラウンド層646から見て外方に向く側に配置される。
【０２０７】
字句「ＴＥＮＡ」の形態の模様618が、模様層645のバックグラウンド層646から見て外方に向く表面、すなわち模様層645の外向きに面する表面に配置される。この模様618は、この模様618およびバックグラウンド層646が異なる色の濃さを示すので、かつ組み合わせられた模様層645/中間層647が第1の、本質的に透明な状態にあるので目に見える。
【０２０８】
模様層645は、ラベル619の伸長の後、第2の状態になり、それと関連してベルトが着用者のウエストに巻かれるとき、ベルト628の伸長と関連して伸長が起きる。
【０２０９】
模様層645/中間層647が伸長作用を受けるとき、それは第2の、本質的により透明性の劣った状態に変換され、それと関連して、模様層645の色の濃さが模様618の色の濃さと本質的に同じ色の濃さである色の濃さに変化する。この場合、模様618は、本質的に模様層645に溶け込み、それと関連して本質的に目に見えなくなる。
【０２１０】
伸長は、ベルト型おむつ601を着用者に装着させることに関連して、ベルト型おむつ601のベルト628が着用者の周りで引き伸ばされるときに起きる。
【０２１１】
したがって、模様層645の第1の、本質的に透明な状態から第2の、かなり透明性の劣る状態への移行は、ベルト型おむつ601の着用手順の当然な部分として自動的に起きる。
【０２１２】
模様618の色の濃さは、模様層645がその第2の、本質的に不透明な状態に変換された後、模様層645の色の濃さと一致するように意図的に選択されている。
【０２１３】
この実施形態は、そのただ1つの目的が模様を含むことである別個の層に対する要求が存在しないことを意味し、このことが本発明に関連するコストを減少させる。
【０２１４】
模様618を備えるラベル619は当然ながらベルト628に取り付けることを意図している側に接着剤付きで供給することができ、それと関連してラベル619の取付けのための別個の接着設備は、ベルト型おむつ601を製造する機械には必要ない。
【０２１５】
代替のベルト型おむつ601では、模様618を備えるラベル619は前側横方向縁部614と共に裏当て層604に配置できる。2つのベルト半体を有するベルト型おむつ601に対しては、模様618を後側横方向縁部615に隣接して裏当て層604上に配置することも考えられる。
【０２１６】
模様618をベルト型おむつ601の前側および/または後側端部に、または前側固定機構640に位置決めされるラベル619に配置することも考えられる。
【０２１７】
2枚の層のみからなり最初は目に見える模様からなるラベルを作ることも当然ながら可能であり、その場合、図3aおよび図3bのおむつ301に対して説明したように、模様は手動で本質的に目に見えないようにされる。
【０２１８】
本発明は、説明した例示的な実施形態の全ての考え得る組合せにも拡張される。
【０２１９】
さらに本発明は、上で述べた例示的な実施形態に限定されず、当然ながら特許請求の範囲内の他の実施形態にも適用可能である。
【図面の簡単な説明】
【０２２０】
【図１ａ】着用されているとき着用者に向かって面することになる側からの、本発明による開かれたおむつを示す図である。
【図１ｂ】着用されているとき着用者から見て外方に向くことになる側から見た、着用される前の図1aによるおむつを示す図である。
【図１ｃ】着用されているとき着用者から見て外方に向くことになる側から見た、着用されかつ着用者のウエストの周りで過度にきつく引き伸ばされた後の、図1bによるおむつを示す図である。
【図２ａ】本発明によって構成されるラベルを示す図である。
【図２ｂ】引き伸ばされた後の図2aのラベルの図である。
【図２ｃ】図2aおよび図2bのラベルの分解図であり、それと関連してラベル内の異なる材料層が示される図である。
【図３ａ】本発明の代替実施形態を備えるおむつの図である。
【図３ｂ】手動でラベルが引き伸ばされた後の図3aのおむつの図である。
【図４ａ】本発明による代替のラベルの図である。
【図４ｂ】引き伸ばされた後の図4aのラベルの図である。
【図４ｃ】図4aおよび図4bのラベルの分解図であり、それと関連してラベル内の異なる材料層が示される図である。
【図５】本発明によるパンツ型おむつの図である。
【図６ａ】着用されているとき、着用者に向かって面することになる側からの、本発明によるベルト型おむつの図である。
【図６ｂ】着用されているとき、着用者から見て外方に向くことになる側からの、図6aのベルト型おむつの図である。
【符号の説明】
【０２２１】
101,301,501,601  吸収用品
102,602  液体透過性被覆層
104,304,504,604  裏当て層
118,218,318,418,518,618  模様
119,219,319,419,519,619  ラベル
126  取付けフラップ
145,245,345,445,545,645  模様層
146,246,346,446,546,646  バックグラウンド層
147,247,347,447,547,647  中間層
628  ベルト
【図１ａ】
2008523883.tif 000003
【図１ｂ】
2008523883.tif 000004
【図１ｃ】
2008523883.tif 000005
【図２ａ】
2008523883.tif 000006
【図２ｂ】
2008523883.tif 000007
【図２ｃ】
2008523883.tif 000008
【図３ａ】
2008523883.tif 000009
【図３ｂ】
2008523883.tif 000010
【図４ａ】
2008523883.tif 000011
【図４ｂ】
2008523883.tif 000012
【図４ｃ】
2008523883.tif 000013
【図５】
2008523883.tif 000014
【図６ａ】
2008523883.tif 000015
【図６ｂ】
2008523883.tif 000016
【国際調査報告】
2008523883.tif 000017
2008523883.tif 000018
2008523883.tif 000019